(57)【要約】【課題】個人宅内などにある電子装置に対してインターネットを介して携帯電話等からアクセスするためのシステムであって、既存のシステム設備を利用することで、低コストでＮＡＴ越えの問題を解決する。【解決手段】プライベートネットワーク内の電子装置にアクセスするために、電子装置はプライベートネットワークアドレスを有するケーブルモデムを介して外部からのアクセスを受付け、プライベートネットワーク内で管理されているケーブルモデムのネットワークアドレスとＭＡＣアドレスとの対応テーブルを管理するプライベートネットワーク内に配置されたセンターモデム装置と、センターモデム装置にアクセス可能な、電子装置ユーザＩＤとケーブルモデムのＭＡＣアドレス対応テーブルを管理するアクセスサーバ装置とを有する電子装置網外アクセスシステムを提供する。【選択図】図１
2008109383.tif 000002
【特許請求の範囲】
【請求項１】
プライベートネットワーク内の電子装置にアクセスするための電子装置網外アクセスシステムであって、
電子装置は、プライベートネットワーク内でのネットワークアドレスを有するケーブルモデムを介して外部からのアクセスを受付け、
プライベートネットワーク内で管理されているケーブルモデムのネットワークアドレスと、ケーブルモデムのＭＡＣアドレスとの対応テーブルを管理するプライベートネットワーク内に配置された第一センターモデム装置と、
プライベートネットワークのゲートウェイサーバを介してプライベートネットワーク内の第一センターモデム装置にアクセス可能な、電子装置ユーザＩＤとケーブルモデムのＭＡＣアドレス対応テーブルを管理するプライベートネットワーク外に配置された第一アクセスサーバ装置と、
を有する電子装置網外アクセスシステム。
【請求項２】
プライベートネットワーク内の電子装置にアクセスするための電子装置網外アクセスシステムであって、
電子装置は、プライベートネットワーク内でのネットワークアドレスを有するケーブルモデムを介して外部からのアクセスを受付け、
プライベートネットワーク内で管理されているケーブルモデムのネットワークアドレスと、ケーブルモデムのＭＡＣアドレスとの対応テーブルを管理するプライベートネットワーク内に配置された第二センターモデム装置と、
プライベートネットワーク内の第二センターモデム装置にアクセス可能な、電子装置ユーザＩＤとケーブルモデムのＭＡＣアドレス対応テーブルを管理する第二アクセスサーバ装置と、
を有する電子装置網外アクセスシステム。
【請求項３】
ケーブルモデムは、配下の電子装置のアドレスを管理し、管理しているアドレスを利用して電子装置へのプライベートネットワーク外からのアクセスを仲介する請求項１又は２に記載の電子装置網外アクセスシステム。
【請求項４】
請求項1、又は請求項１に従属する請求項３に記載の第一アクセスサーバ装置。
【請求項５】
請求項２、又は請求項２に従属する請求項３に記載の第二アクセスサーバ装置。
【発明の詳細な説明】
【技術分野】
【０００１】
本発明は、ケーブルテレビ網などの既存のシステムを利用して、プライベートネットワーク内の電子装置に対してプライベートネットワーク外からアクセスするための仕組みを提供する電子装置網外アクセスシステムに関する。
【背景技術】
【０００２】
従来、個人宅内にあるビデオレコーダやＤＶＤレコーダなどの録画装置に対して、インターネットを介して携帯電話などから録画予約を行うためのシステムが提供されている（例えば、特許文献１）。
【特許文献１】特開２００５−１１７２４５号公報
【発明の開示】
【発明が解決しようとする課題】
【０００３】
ところで、インターネットを通じて個人宅内にある録画装置にアクセスするためには録画装置のグローバルネットワークアドレスを知る必要があるが、近年、ＮＡＴ（Ｎｅｔｗｏｒｋ  Ａｄｄｒｅｓｓ  Ｔｒａｎｓｌａｔｉｏｎ）が利用されていることもあり、ＮＡＴ越えの問題があった。そのために、ＮＡＴ越えのためのプラットフォームを追加するためのコストが必要となる等の問題があった。
【課題を解決するための手段】
【０００４】
そこで、本発明はこの課題を解決するために、プライベートネットワーク内の電子装置にアクセスするための電子装置網外アクセスシステムであって、電子装置は、プライベートネットワーク内でのネットワークアドレスを有するケーブルモデムを介して外部からのアクセスを受付け、プライベートネットワーク内で管理されているケーブルモデムのネットワークアドレスとケーブルモデムのＭＡＣアドレスとの対応テーブルを管理するプライベートネットワーク内に配置されたセンターモデム装置と、プライベートネットワークのゲートウェイサーバを介してプライベートネットワーク内のセンターモデム装置にアクセス可能な、電子装置ユーザＩＤとケーブルモデムのＭＡＣアドレス対応テーブルを管理するプライベートネットワーク外に配置されたアクセスサーバ装置とを有する電子装置網外アクセスシステムを提供する。
【０００５】
図１は、電子装置網外アクセスシステムの概念図を示す。図１においては、一例としてプライベートネットワークがケーブルテレビ網（ＣＡＴＶ網）であり、ユーザがＣＡＴＶ網外の携帯電話（０１０１）からＣＡＴＶ網内にある録画装置（電子装置）（０１０６）に対して録画予約を行う場合を示している。まず、会員情報・番組情報管理サーバ（０１０２）で携帯電話（０１０１）から送られてきたユーザＩＤで会員の認証を行うと、会員情報・番組情報管理サーバ（０１０２）は携帯電話（０１０１）へ番組情報を返信、そして、番組情報を見て、ユーザは会員情報・番組情報管理サーバ（０１０２）へ予約情報を送信する。さらに、会員情報・番組情報管理サーバ（０１０２）からはアクセスサーバ装置（０１０３）に対して、ユーザＩＤと予約情報が送信される。アクセスサーバ装置（０１０３）ではユーザＩＤと会員のケーブルモデムのＭＡＣアドレスを関連付けて保持しているため、送信されてきたユーザＩＤからユーザのケーブルモデムのＭＡＣアドレスを抽出し、予約情報とともにゲートウェイサーバへ送信する。なお、ゲートウェイサーバはインターネットとＣＡＴＶ網を繋いでいるサーバ装置である。ゲートウェイサーバは、まずセンターモデム装置（０１０４）に対して送信されたケーブルモデムのＭＡＣアドレスに対応するケーブルモデムのプライベートネットワークアドレスを要求する。なお、センターモデム装置（０１０４）ではケーブルモデムのＭＡＣアドレスとプライベートネットワークアドレスとを関連付けて保持している。センターモデム装置（０１０４）は、ゲートウェイサーバに対してケーブルモデムのプライベートネットワークアドレスを返し、ゲートウェイサーバはそのプライベートネットワークアドレスを利用してケーブルモデム（０１０５）にアクセスすることができる。また、ケーブルモデム（０１０５）には電子装置（０１０６）が接続されており、電子装置（０１０６）はケーブルモデム（０１０５）を介してアクセスされることになる。通常のケーブルテレビ網などでは、センターモデム装置（０１０４）をすでに有している場合も多く、上述のような構成とすることにより、既存のシステムを利用して簡単に網外からのアクセスを実現することができる。つまり、本件発明は、特にこのようなセンターモデム装置を有しているプライベートネットワークに対して好適なアクセスシステムを提供する。
なお、図１ではアクセスサーバ装置（０１０３）にユーザＩＤとユーザのケーブルモデムのＭＡＣアドレスを関連付けて保存しているが、ユーザＩＤはケーブルモデムのＭＡＣアドレスをある関数から算出できるようにしておき、会員管理サーバ（０１０２）の負荷を減らすような設計をしてもよい。
【０００６】
また、ケーブルモデムは、配下の電子装置のアドレスを管理し、管理しているアドレスを利用して電子装置へのプライベートネットワーク外からのアクセスを仲介するようになっていてもよい。また、アクセスサーバ装置は、図６に例示するようにプライベートネットワーク内にあってもよい（０６０３）。ＣＡＴＶ会社の中には、ユーザＩＤとケーブルモデムのＭＡＣアドレスを関連づけて保持するケーブル会員管理装置を、ＣＡＴＶ契約者ユーザの管理を目的に、ＣＡＴＶ会社独自に構築していることもある。その場合はこのケーブル会員管理装置をアクセスサーバ装置として利用して、簡単に上述したようなシステムを構築してもよい。
【発明の効果】
【０００７】
以上のように、本発明に係る電子装置網外アクセスシステムによれば、別途、ＮＡＴ越えのためのプラットフォームの追加等をすることなく、低コストでプライベートネットワーク外からプライベートネットワーク内の電子装置に対してアクセスするための仕組みを提供することができる。
【発明を実施するための最良の形態】
【０００８】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、３、４などについて説明する。実施形態２は、主に請求項２、５などについて説明する。
（実施形態１）
【０００９】
（実施形態１：概要）
【００１０】
本実施形態は、プライベートネットワーク内の電子装置にアクセスするための電子装置網外アクセスシステムであって、電子装置は、プライベートネットワーク内でのネットワークアドレスを有するケーブルモデムを介して外部からのアクセスを受付け、プライベートネットワーク内で管理されているケーブルモデムのネットワークアドレスとＭＡＣアドレスとの対応テーブルを管理するセンターモデム装置と、プライベートネットワークのゲートウェイサーバを介してプライベートネットワーク内のセンターモデム装置にアクセス可能な、電子装置ユーザＩＤとケーブルモデムのＭＡＣアドレス対応テーブルを管理するプライベートネットワーク外に配置されたアクセスサーバ装置とを有する電子装置網外アクセスシステムについて説明する。
【００１１】
（実施形態１：構成）
【００１２】
本実施形態に係る電子装置網外アクセスシステムの機能ブロックを図２に例示する。電子装置網外アクセスシステムは、「第一アクセスサーバ装置」（０２０１）と、「第一センターモデム装置」（０２０３）を必須の構成要件とし、他に、「ゲートウェイサーバ」（０２０２）、「ケーブルモデム」（０２０４）、「電子装置」（０２０５）を利用する。
【００１３】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１４】
電子装置網外アクセスシステムは、プライベートネットワーク内の電子装置（０２０５）にアクセスするためのシステムであり、電子装置（０２０５）は、プライベートネットワーク内でのネットワークアドレスを有するケーブルモデム（０２０４）を介して外部からのアクセスを受付ける。「プライベートネットワーク内でのネットワークアドレス」とは、いわゆるプライベートネットワークアドレスであり、プライベートネットワーク内で一意に割り当てられるＩＰアドレスが該当する。また、このケーブルモデム（０２０４）のＩＰアドレスはプライベートネットワーク内のＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバから割り当てられる場合が想定される。また、ケーブルモデムは、配下の電子装置のアドレスを管理し、管理しているアドレスを利用して電子装置へのプライベートネットワーク外からのアクセスを仲介してもよい。「配下の電子装置のアドレス」とは、具体的にはプライベートネットワーク内で一意に割り当てられるプライベートＩＰアドレスであってもよいし、ケーブルモデムのみが知ることのできる独自の管理番号等であってもよい。また、この電子装置（０２０５）のアドレスがプライベートＩＰアドレスである場合には、プライベートＩＰアドレスはプライベートネットワーク内のＤＨＣＰサーバから割り当てられる場合が想定される。なお、ケーブルモデムは変復調を行うための装置である。また、電子装置のアドレスは、ケーブルモデム内においてはＳＲＡＭ（Ｓｔａｔｉｃ  ＲＡＭ：リフレッシュ動作が必要ない、随時書き込みと読み出しができるデータ記憶用の部品）、ハードディスク等の所定の記憶領域に格納されていることが想定される。なお、電子装置（０２０５）は、例えばビデオレコーダやＤＶＤレコーダなどの録画装置、エアコン、などが想定される。
【００１５】
「第一アクセスサーバ装置」（０２０１）は、プライベートネットワークのゲートウェイサーバを介してプライベートネットワーク内の第一センターモデム装置にアクセス可能な、電子装置ユーザＩＤとケーブルモデムのＭＡＣアドレス対応テーブルを管理するプライベートネットワーク外に配置された装置である。「電子装置ユーザＩＤ」とは、プライベートネットワーク外から電子装置にアクセスしようとするユーザの識別情報であり、より具体的には、ケーブルテレビ網の会員ＩＤ等が該当する。また、「電子装置ユーザＩＤとケーブルモデムのＭＡＣアドレス対応テーブル」とは、電子装置（０２０５）のユーザＩＤとケーブルモデムのＭＡＣアドレスを関連付けたデータベース等が該当し、例えば図４のようなテーブルが該当する。すなわち、第一アクセスサーバ装置は、図４のような情報をデータベース等としてハードディスク等の記憶装置に保持していることになる。
【００１６】
「第一センターモデム装置」（０２０３）は、プライベートネットワーク内で管理されているケーブルモデムのネットワークアドレスと、ケーブルモデムのＭＡＣアドレスとの対応テーブルを管理するプライベートネットワーク内に配置された装置である。「プライベートネットワーク内で管理されているケーブルモデムのネットワークアドレス」とは、いわゆるプライベートネットワークアドレスであり、プライベートネットワーク内で一意に割り当てられるＩＰアドレスが該当する。また、このケーブルモデム（０２０４）のＩＰアドレスはプライベートネットワーク内のＤＨＣＰサーバから割り当てられる場合が想定される。また、「プライベートネットワーク内で管理されているケーブルモデムのネットワークアドレスと、ケーブルモデムのＭＡＣアドレスとの対応テーブル」とは、ケーブルモデムのプライベートネットワークアドレスとＭＡＣアドレスを関連付けたデータベース等が該当し、例えば図３のようなテーブルが該当する。すなわち、第一センターモデム装置は、図３のような情報をデータベース等としてＳＲＡＭ、ハードディスク等の記憶装置に保持していることになる。また、例えばケーブルテレビ網においては、すでにケーブルテレビ局が第一センターモデム装置を保持している場合もあるので、そのような場合には既存のセンターモデム装置を利用すればコストが削減できる。
【００１７】
（実施形態１：詳細な具体例）
【００１８】
図９は、本実施形態に係る電子装置網外アクセスシステムにおける具体例を示す。第一アクセスサーバ装置では図４に例示した情報を保持しており、第一センターモデム装置では図３に例示した情報を保持しているとする。
【００１９】
まず、ユーザが携帯電話（０９０１）から、録画装置（電子装置０９０５）に録画予約をするために、ユーザＩＤ‘ｕｓｅｒ１０１’、予約情報‘２００６年１０月１日  ６ＣＨ  １０：００〜１２：００’という情報を送信したとする。すると、第一アクセスサーバ装置（０９０２）では、保持している情報を参照して、ユーザＩＤ‘ｕｓｅｒ１０１’に対応するケーブルモデムのＭＡＣアドレスが‘００−１Ｂ−Ｃ２−３４−５６−７８’であることを知る。この時、第一アクセスサーバ装置では図１０のような処理が行われている。すなわち、入出力インタフェースを介してユーザＩＤと予約情報が第一アクセスサーバ装置へ入力され、入力されたユーザＩＤと予約情報はＲＡＭ等を介してメインメモリの所定の領域に格納される（１００１）。次に、メインメモリに格納されているユーザＩＤ‘ｕｓｅｒ１０１’に対応するケーブルモデムＭＡＣアドレスをハードディスクに記憶されているテーブルに問い合わせる（１００２）と、ケーブルモデムＭＡＣアドレス‘００−１Ｂ−Ｃ２−３４−５６−７８’が抽出され、メインメモリの所定の領域に格納される（１００３）。最後に、メインメモリに格納されているケーブルモデムＭＡＣアドレスと予約情報はＲＡＭ等を介して入出力インタフェースからゲートウェイサーバに対して出力される（１００４）。なお、図９においては、図１で示した会員情報・番組情報管理サーバは省略している。ゲートウェイサーバは、受信したケーブルモデムのＭＡＣアドレス‘００−１Ｂ−Ｃ２−３４−５６−７８’をもって第一センターモデム装置（０９０３）にケーブルモデムのネットワークアドレスを問い合わせる。第一センターモデム装置（０９０３）は、保持している情報を参照して、ケーブルモデムのＭＡＣアドレス‘００−１Ｂ−Ｃ２−３４−５６−７８’に対応するケーブルモデムのネットワークアドレスとして‘１９２．１６８．１．１０’をゲートウェイサーバへ返信する。より詳しくは、この時、第一センターモデム装置では図１１のような処理が行われている。すなわち、入出力インタフェースを介してケーブルモデムＭＡＣアドレスが第一センターモデム装置へ入力され、入力されたケーブルモデムＭＡＣアドレスはＲＡＭ等を介してメインメモリの所定の領域に格納される（１１０１）。次に、メインメモリに格納されているケーブルモデムＭＡＣアドレス‘００−１Ｂ−Ｃ２−３４−５６−７８’に対応するケーブルモデムネットワークアドレスをＳＲＡＭ、ハードディスクに記憶されているテーブルに問い合わせる（１１０２）と、ケーブルモデムネットワークアドレス‘１９２．１６８．１．１０’が抽出され、メインメモリの所定の領域に格納される（１１０３）。最後に、メインメモリに格納されているケーブルモデムネットワークアドレスはＲＡＭ等を介して入出力インタフェースからゲートウェイサーバに対して出力される（１１０４）。これでゲートウェイサーバは、ケーブルモデムのネットワークアドレス‘１９２．１６８．１．１０’を得ることができるので、ケーブルモデム（０９０４）にアクセスすることが可能となる。また、ケーブルモデム（０９０４）は、録画装置（電子装置：０９０５）のアドレス‘１９２．１６８．１．��５’をＳＲＡＭ、ハードディスク等に記憶しているので、ゲートウェイサーバに対してこの録画装置のアドレスを返信する。すると、ゲートウェイサーバは録画装置（０９０５）にアクセスすることが可能となり、アドレス‘１９２．１６８．１．１５’である録画装置（０９０５）に対して、予約情報‘２００６年１０月１日  ６ＣＨ  １０：００〜１２：００’を送信する。録画装置（０９０５）では、受信した予約情報に応じて予約処理を行うことができる。
【００２０】
なお、図９の例においてはケーブルモデムが録画装置のプライベートネットワークアドレス（１９２．１６８．１．１５）を保持している場合を例示しているが、ケーブルモデムが独自の管理番号等を録画装置に振るようになっていてもよい。いずれにおいても、通常ＣＡＴＶ網が有しているセンターモデム装置やケーブルモデムを利用することで、プライベートネットワーク内の電子装置に対するプライベートネットワーク外からのアクセスを簡単に低コストにて実現することができる。
【００２１】
（実施形態１：処理の流れ）
【００２２】
図５は、本実施形態に係る電子装置網外アクセスシステムにおける処理の流れを具体的に示したシーケンス図である。
【００２３】
最初に、携帯電話等の外部装置から会員情報・番組情報管理サーバへユーザＩＤが送信された後、予約情報が出力される（Ｓ０５０１）。次に、会員情報・番組情報管理サーバから第一アクセスサーバ装置へユーザＩＤと予約情報が出力される（Ｓ０５０２）。次に、第一アクセスサーバ装置において、受信したユーザＩＤに対応するケーブルモデムのＭＡＣアドレス（ＣＭ−ＭＡＣアドレス）が抽出され、ゲートウェイサーバへケーブルモデムのＭＡＣアドレス（ＣＭ−ＭＡＣアドレス）と予約情報が出力される（Ｓ０５０３）。次に、ゲートウェイサーバは第一センターモデム装置に対して、受信したケーブルモデムのＭＡＣアドレス（ＣＭ−ＭＡＣアドレス）に対応するケーブルモデムのネットワークアドレス（ＣＭ−ＩＰアドレス）を問い合わせる（Ｓ０５０４）。次に、第一センターモデム装置において、受信したケーブルモデムのＭＡＣアドレス（ＣＭ−ＭＡＣアドレス）に対応するケーブルモデムのネットワークアドレス（ＣＭ−ＩＰアドレス）が抽出され、ゲートウェイサーバへケーブルモデムのネットワークアドレス（ＣＭ−ＩＰアドレス）が返信される（Ｓ０５０５）。次に、ゲートウェイサーバは受信したネットワークアドレス（ＣＭ−ＩＰアドレス）を有するケーブルモデムに対して、電子装置のＩＰアドレスを要求する（Ｓ０５０６）。次に、ケーブルモデムはゲートウェイサーバへ、保持している電子装置のＩＰアドレスを返信する（Ｓ０５０７）。次に、ゲートウェイサーバは受信したＩＰアドレスを有する電子装置に対して、予約情報を利用して予約指示を行う（Ｓ０５０８）。また、電子装置から予約処理が正常に終了したかエラーとなったか等の処理結果をゲートウェイサーバへ返信するようになっていてもよい（Ｓ０５０９）。その場合には、さらにゲートウェイサーバから第一アクセスサーバ装置へ、第一アクセスサーバ装置から会員情報・番組情報管理サーバへ、会員情報・番組情報管理サーバから外部端末へ処理結果が送信されるようになっていてもよい（Ｓ０５１０、Ｓ０５１１、Ｓ０５１２）。
【００２４】
（実施形態１：効果）
【００２５】
本実施形態に係る電子装置網外アクセスシステムによれば、ケーブルテレビ網などの既存の仕組みを利用してシステムを構築することが可能であり、簡単に低コストでシステムを構築可能である。すなわち、ＮＡＴ越えのためのプラットフォームを追加すること等が不要であり低コストで電子装置へのアクセスを実現できる。
（実施形態２）
【００２６】
（実施形態２：概要）
【００２７】
本実施形態は、プライベートネットワーク内の電子装置にアクセスするための電子装置網外アクセスシステムであって、電子装置は、プライベートネットワーク内でのネットワークアドレスを有するケーブルモデムを介して外部からのアクセスを受付け、プライベートネットワーク内で管理されているケーブルモデムのネットワークアドレスと、ケーブルモデムのＭＡＣアドレスとの対応テーブルを管理するプライベートネットワーク内に配置された第二センターモデム装置と、プライベートネットワーク内の第二センターモデム装置にアクセス可能な、電子装置ユーザＩＤとケーブルモデムのＭＡＣアドレス対応テーブルを管理する第二アクセスサーバ装置とを有する電子装置網外アクセスシステムについて説明する。実施形態１との違いは、実施形態１に係る第一アクセスサーバ装置がプライベートネットワーク外に配置されていたのに対し、本実施形態に係る第二アクセスサーバ装置はプライベートネットワーク内に配置されていても構わないことである。
【００２８】
図６は、本実施形態に係る電子装置網外アクセスシステムの概念図を示す。図６においては、図１と同様に、プライベートネットワークがケーブルテレビ網（ＣＡＴＶ網）であり、ユーザがＣＡＴＶ網外の携帯電話（０６０１）からＣＡＴＶ網内にある録画装置（電子装置）（０６０６）に対して録画予約を行う場合を示している。まず、会員情報・番組情報管理サーバ（０６０２）で携帯電話（０６０１）から送られてきたユーザIDで会員の認証を行うと、会員情報・番組情報管理サーバ（０６０２）は携帯電話（０６０１）へ番組情報を返信、そして、番組情報を見て、ユーザは会員情報・番組情報管理サーバ（０６０２）へ予約情報を送信する。さらに、会員情報・番組情報管理サーバ（０６０２）からはゲートウェイサーバに対して、ユーザＩＤと予約情報が送信される。ゲートウェイサーバは、送信されたユーザＩＤを第二アクセスサーバ装置（０６０３）へ送信する。第二アクセスサーバ装置（０６０３）ではユーザＩＤと会員のケーブルモデムのＭＡＣアドレスを関連付けて保持しているため、送信されてきたユーザＩＤからユーザのケーブルモデムのＭＡＣアドレスを抽出しゲートウェイサーバへ送信する。ゲートウェイサーバは、第二センターモデム装置（０６０４）に対して、送信されたケーブルモデムのＭＡＣアドレスに対応するケーブルモデムのプライベートネットワークアドレスを要求する。なお、第二センターモデム装置（０６０４）ではケーブルモデムのＭＡＣアドレスとプライベートネットワークアドレスとを関連付けて保持している。第二センターモデム装置（０６０４）は、ゲートウェイサーバに対してケーブルモデムのプライベートネットワークアドレスを返し、ゲートウェイサーバはそのプライベートネットワークアドレスを利用してケーブルモデム（０６０５）にアクセスすることができる。また、ケーブルモデム（０６０５）には電子装置（０６０６）が接続されており、電子装置（０６０６）はケーブルモデム（０６０５）を介してアクセスされることになる。また、ＣＡＴＶ会社の中には、ユーザＩＤとケーブルモデムのＭＡＣアドレスを関連づけて保持するケーブル会員管理装置を、ＣＡＴＶ契約者ユーザの管理を目的に、ＣＡＴＶ会社独自に構築していることもある。その場合はこのケーブル会員管理装置を第二アクセスサーバ装置として利用して、簡単に上述したようなシステムを構築してもよい。
【００２９】
（実施形態２：構成）
【００３０】
本実施形態に係る電子装置網外アクセスシステムの機能ブロックを図７に例示する。電子装置網外アクセスシステムは、「第二アクセスサーバ装置」（０７０１）と、「第二センターモデム装置」（０７０３）を必須の構成要件とし、他に、「ゲートウェイサーバ」（０７０２）、「ケーブルモデム」（０７０４）、「電子装置」（０７０５）を利用する。
【００３１】
電子装置網外アクセスシステムは、プライベートネットワーク内の電子装置（０７０５）にアクセスするためのシステムであり、電子装置（０７０５）は、プライベートネットワーク内でのネットワークアドレスを有するケーブルモデム（０７０４）を介して外部からのアクセスを受付ける。また、ケーブルモデムは、実施形態１と同様に、配下の電子装置のアドレスを管理し、管理しているアドレスを利用して電子装置へのプライベートネットワーク外からのアクセスを仲介してもよい。
【００３２】
「第二アクセスサーバ装置」（０７０１）は、プライベートネットワーク内の第二センターモデム装置にアクセス可能な、電子装置ユーザＩＤとケーブルモデムのＭＡＣアドレス対応テーブルを管理する装置である。実施形態１に係る第一アクセスサーバ装置がプライベートネットワーク外に配置されていたのに対し、第二サクセスサーバ装置はプライベートネットワーク外に配置されてもよいし、プライベートネットワーク内に配置されてもよい点が異なる。それ以外の機能については、実施形態１に係る第一アクセスサーバ装置と同様であるので、詳細な説明は省略する。また、第二アクセスサーバ装置がプライベートネットワーク内にある場合であってプライベートネットワークがＣＡＴＶ網である場合には、ケーブルテレビ局が第二アクセスサーバ装置を既に保持している場合もあるので、そのような場合には既存の装置が利用できるので低コストであるという利点がある。
【００３３】
「第二センターモデム装置」（０７０３）は、プライベートネットワーク内で管理されているケーブルモデムのネットワークアドレスと、ケーブルモデムのＭＡＣアドレスとの対応テーブルを管理するプライベートネットワーク内に配置された装置である。第二センターモデム装置の機能は、実施形態１に係る第一センターモデム装置の機能と同様であるので、詳細な説明は省略する。
【００３４】
（実施形態２：処理の流れ）
【００３５】
図８は、本実施形態に係る電子装置網外アクセスシステムにおける処理の流れを具体的に示したシーケンス図である。
【００３６】
最初に、携帯電話等の外部装置から会員情報・番組情報管理サーバへユーザＩＤが送信された後、予約情報が出力される（Ｓ０８０１）。次に、会員情報・番組情報管理サーバからゲートウェイサーバへユーザＩＤと予約情報が出力される（Ｓ０８０２）。次に、ゲートウェイサーバから第二アクセスサーバ装置へユーザＩＤが出力される（Ｓ０８０３）。次に、第二アクセスサーバ装置において、受信したユーザＩＤに対応するケーブルモデムのＭＡＣアドレス（ＣＭ−ＭＡＣアドレス）が抽出されゲートウェイサーバへ出力される（Ｓ０８０４）。次に、ゲートウェイサーバは第二センターモデム装置に対して、受信したケーブルモデムのＭＡＣアドレス（ＣＭ−ＭＡＣアドレス）に対応するケーブルモデムのネットワークアドレス（ＣＭ−ＩＰアドレス）を問い合わせる（Ｓ０８０５）。次に、第二センターモデム装置において、受信したケーブルモデムのＭＡＣアドレス（ＣＭ−ＭＡＣアドレス）に対応するケーブルモデムのネットワークアドレス（ＣＭ−ＩＰアドレス）が抽出され、ゲートウェイサーバへケーブルモデムのネットワークアドレス（ＣＭ−ＩＰアドレス）が返信される（Ｓ０８０６）。次に、ゲートウェイサーバは受信したネットワークアドレス（ＣＭ−ＩＰアドレス）を有するケーブルモデムに対して、電子装置のＩＰアドレスを要求する（Ｓ０８０７）。次に、ケーブルモデムはゲートウェイサーバへ、保持している電子装置のＩＰアドレスを返信する（Ｓ０８０８）。次に、ゲートウェイサーバは受信したＩＰアドレスを有する電子装置に対して、予約情報を利用して予約指示を行う（Ｓ０８０９）。また、電子装置から予約処理が正常に終了したかエラーとなったか等の処理結果をゲートウェイサーバへ返信するようになっていてもよい（Ｓ０８１０）。その場合には、さらにゲートウェイサーバから会員情報・番組情報管理サーバへ、会員情報・番組情報管理サーバから外部端末へ処理結果が送信されるようになっていてもよい（Ｓ０８１１、Ｓ０８１２）。
【００３７】
（実施形態２：効果）
【００３８】
本実施形態に係る電子装置網外アクセスシステムによれば、ケーブルテレビ網などの既存の仕組みを利用してシステムを構築することが可能であり、簡単に低コストでシステムを構築可能である。特に、第二アクセスサーバ装置がプライベートネットワーク内に存在する場合には、ケーブルテレビ局等がすでに備えているアクセスサーバ装置を利用することも可能であるので、より低コストで電子装置へのアクセスを実現できる。
【図面の簡単な説明】
【００３９】
【図１】電子装置網外アクセスシステムの概念図
【図２】実施形態１に係る電子装置網外アクセスシステムの機能ブロック図
【図３】第一センターモデム装置に保持される情報の一例図
【図４】第一アクセスサーバ装置に保持される情報の一例図
【図５】実施形態１に係る電子装置網外アクセスシステムの処理の流れを示すシーケンス図
【図６】実施形態２に係る電子装置網外アクセスシステムの概念図
【図７】実施形態２に係る電子装置網外アクセスシステムの機能ブロック図
【図８】実施形態２に係る電子装置網外アクセスシステムの処理の流れを示すシーケンス図
【図９】実施形態１に係る電子装置網外アクセスシステムの詳細な具体例
【図１０】第一アクセスサーバ装置の詳細な構成を例示する図
【図１１】第一センターモデム装置の詳細な構成を例示する図
【符号の説明】
【００４０】
０１０１    携帯電話（外部装置）
０１０２    会員情報・番組情報管理サーバ
０１０３    アクセスサーバ装置
０１０４    センターモデム装置
０１０５    ケーブルモデム
０１０６    電子装置
【図１】
2008109383.tif 000003
【図２】
2008109383.tif 000004
【図３】
2008109383.tif 000005
【図４】
2008109383.tif 000006
【図５】
2008109383.tif 000007
【図６】
2008109383.tif 000008
【図７】
2008109383.tif 000009
【図８】
2008109383.tif 000010
【図９】
2008109383.tif 000011
【図１０】
2008109383.tif 000012
【図１１】
2008109383.tif 000013